(57)【要約】【課題】床面と天井との間により強固に固定することのできる支柱を提供する。【解決手段】  床面に設置されるベース部材１０と、ベース部材１０上に立設された伸縮自在な支柱本体４０と、支柱本体４０の上端に設けられた天井当接部材５０と、を備え、床面と天井Ｒとの間に突っ張った状態で設置固定される支柱１であって、ベース部材１０に床面に対する摩擦力の大きい素材からなる滑り止め手段を設けた。【選択図】図１
2014214473.tif 000002
【特許請求の範囲】
【請求項１】
床面に設置されるベース部材と、
前記ベース部材上に立設された伸縮自在な支柱本体と、
前記支柱本体の上端に設けられた天井当接部材と、を備え、
床面と天井との間に突っ張った状態で設置固定される支柱であって、
前記ベース部材に前記床面に対する摩擦力の大きい素材からなる滑り止め手段が設けられたことを特徴とする支柱。
【請求項２】
請求項１に記載の支柱において、
前記床面は畳であり、
前記滑り止め手段は、
前記畳に差し込まれる固定ピンと、
前記固定ピンにより前記畳に固定されるシート状又は板状の固定部材と、
前記ベース部材の裏面に設けられた、前記固定部材に対する摩擦力の大きい素材からなる滑り止め部材と、
から構成されたことを特徴とする支柱。
【請求項３】
請求項２に記載の支柱において、
前記固定部材は、ポリエチレンテレフタレートからなることを特徴とする支柱。
【請求項４】
請求項２又は３に記載の支柱において、
前記固定部材には、該固定部材を貫通する通気孔が設けられたことを特徴とする支柱。
【請求項５】
請求項１に記載の支柱において、
前記床面は、Ｐタイル又はクッションフロアであり、
前記滑り止め手段は、前記ベース部材の裏面に設けられた、前記床面に対する摩擦力の大きい素材からなる滑り止め部材であることを特徴とする支柱。
【請求項６】
請求項２から５に記載の支柱において、
前記滑り止め部材は、少なくとも前記ベース部材の角部に配置され、ポリエチレンスポンジ及びアクリルスポンジを含む多層構造であることを特徴とする支柱。
【請求項７】
請求項２から５のいずれか１項に記載の支柱において、
前記滑り止め部材は、ポリエチレンスポンジ及びアクリルスポンジの両方、又は、これらのいずれか一方からなることを特徴とする支柱。
【請求項８】
請求項１に記載の支柱において、
前記床面は畳であり、
前記滑り止め手段は、前記畳に差し込まれる固定ピンであることを特徴とする支柱。
【発明の詳細な説明】
【技術分野】
【０００１】
本発明は、高齢者や要介護支援者らの歩行の際に使用される手摺が取り付けられる支柱に関するものである。
【背景技術】
【０００２】
特許文献１には、相互に伸縮可能に構成された柱体を備え、これら柱体を室内の床面と天井面の間において伸長方向に突っ張らせた状態で立設配置される突張支柱が開示されている。また、特許文献１には、この突張支柱に手摺を取り付けて片持式手摺とすることや、この突張支柱を複数立設し各支柱間に手摺を横架させて両持式手摺とすることも開示されている。これにより、突張支柱は上記床面と天井面とで突っ張らせた状態で立設されるため、高い設置強度をもって片持式手摺及び両持式手摺を設置することができる。
【先行技術文献】
【特許文献】
【０００３】
【特許文献１】特許第４８３１３３２号公報
【発明の概要】
【発明が解決しようとする課題】
【０００４】
しかしながら、特許文献１に開示された突張支柱では、台座と床等との間の摩擦力について特に考慮されていないため、例えば上記突張支柱に固定された手摺に高齢者等がつかまって突張支柱に強い横荷重が加わった場合、床等が滑りやすい材質だと不測に突張支柱がズレ動く虞があり、高齢者等が転倒したり突張支柱が倒れたりといった事故を招来する危険性があった。
【０００５】
本発明は、かかる点に鑑みてなされたものであり、その目的とするところは、床面と天井との間により強固に固定することのできる支柱を提供するものである。
【課題を解決するための手段】
【０００６】
上記目的を達するために、本発明は次のとおりの構成としている。
【０００７】
本発明に係る支柱は、床面に設置されるベース部材と、前記ベース部材上に立設された伸縮自在な支柱本体と、前記支柱本体の上端に設けられた天井当接部材と、を備え、床面と天井との間に突っ張った状態で設置固定される支柱であって、前記ベース部材に前記床面に対する摩擦力の大きい素材からなる滑り止め手段が設けられたことを特徴とする。
【０００８】
このような構成により、本発明に係る支柱は、床面に対して摩擦力の大きい素材からなる滑り止め手段がベース部材に設けられているため、ベース部材と床面との摩擦力を高めることができ、ベース部材と床面との間で滑りにくくすることができる。よって、支柱を床面と天井との間で従来技術よりも強固に設置することができる。
【０００９】
上記の支柱において、前記床面は畳であり、前記滑り止め手段は、前記畳に差し込まれる固定ピンと、前記固定ピンにより前記畳に固定されるシート状又は板状の固定部材と、  前記ベース部材の裏面に設けられた、前記固定部材に対する摩擦力の大きい素材からなる滑り止め部材とから構成されたこととする。
【００１０】
このような構成により、支柱を畳上に設置するにあたり、固定部材を固定ピンにより畳上に固定しておいてから、この固定部材上にベース部材を載置するだけで、ベース部材の底面の滑り止め部材と固定部材との間の摩擦力によって支柱が畳上に固定されることになる。よって、支柱は、天井と畳との間で突っ張って設置されることに加えて、固定部材との間の摩擦力によって固定されるため、従来よりも強固に支柱を設置することができる。また、支柱の設置位置の調整をする際は、固定部材をそのままでベース部材だけを動かせば済むので簡単である。
【００１１】
上記の支柱において、前記固定部材は、ポリエチレンテレフタレートからなる構成とする。
【００１２】
このような構成により、固定部材としての強度を確保することができる。なお、透明なポリエチレンテレフタレート又はベース部材の色彩と同じ色彩のポリエチレンテレフタレートを採用した場合は、支柱の設置時に固定部材とベース部材との間の位置関係にズレが生じ、ベース部材の縁から固定部材の端縁がはみ出ても、そのはみ出し部分が目立たないため、固定部材によって畳の美観が損なわれる虞がなく、畳の美観を維持することができる。
【００１３】
上記の支柱において、前記固定部材には、該固定部材を貫通する通気孔が設けられた構成とする。
【００１４】
このような構成により、畳と固定部材との間で通気性を良くすることができるため、畳に湿気が籠もりにくくなり、畳の劣化を防ぐことができる。
【００１５】
上記の支柱において、前記床面は、Ｐタイル又はクッションフロアであり、前記滑り止め手段は、前記ベース部材の裏面に設けられた、前記床面に対する摩擦力の大きい素材からなる滑り止め部材であることとする。
【００１６】
このような構成により、ベース部材の裏面には、Ｐタイル又はクッションフロアに対する摩擦力の大きい素材からなる滑り止め部材が設けられているので、ベース部材をＰタイル又はクッションフロアに載置し、Ｐタイル又はクッションフロアと天井との間で突っ張らせるだけで、支柱を強固に設置することができる。
【００１７】
上記の支柱において、前記滑り止め部材は、少なくとも前記ベース部材の角部に配置され、ポリエチレンスポンジ及びアクリルスポンジを含む多層構造である構成とする。
【００１８】
このような構成により、支柱の重量による押圧力がかかりにくいベース部材の角部であっても、滑り止め効果を高めることができる。
【００１９】
上記の支柱において、前記滑り止め部材は、ポリエチレンスポンジ又はアクリルスポンジの両方又はいずれか一方からなる構成とする。
【００２０】
このような構成により、ポリエチレンテレフタレート製の固定部材との摩擦力をさらに大きくすることができる。
【００２１】
上記の支柱において、前記床面は畳であり、前記滑り止め手段は、前記畳に差し込まれる固定ピンである構成とする。
【００２２】
このような構成により、本発明に係る支柱は、畳と天井との間で突っ張った状態で設置固定されるとともに、固定ピンによって畳に固定されるため、畳に対する十分な固定強度を得ることができ、支柱に対して大きな横荷重がかかっても、ベース部材が畳上をズレ動くのを防止することができる。また、固定ピンは畳に容易に抜き差しすることができるため、畳上で設置位置を容易に変更することができる。
【００２３】
上記の支柱において、前記固定ピンは、前記ベース部材や前記固定部材に着脱自在とされている構成としてもよい。
【００２４】
このような構成の場合、固定ピンを省くだけで畳よりも硬質な床面にも設置することができるので、畳だけでなくあらゆる種類の床面に設置することができる。
【発明の効果】
【００２５】
本発明によれば、床面と天井との間により強固に固定することのできる支柱を提供できる。
【図面の簡単な説明】
【００２６】
【図１】本発明に係る支柱の斜視図である。
【図２】本発明の第一実施形態に係る支柱に用いられる部品の底面図であって、（ａ）はベース部材の底面図、（ｂ）は固定部材の底面図である。
【図３】本発明の第一実施形態に係る支柱において、畳への取り付け状態を示す説明図である。
【図４Ａ】本発明の第一実施形態に係る支柱の要部拡大斜視図である。
【図４Ｂ】本発明の第一実施形態に係る支柱の要部拡大斜視図である。
【図５】本発明の第二実施形態に係る支柱の要部拡大斜視図である。
【図６】本発明の第三実施形態に係る支柱の要部拡大斜視図である。
【発明を実施するための形態】
【００２７】
[第一実施形態の構成の説明]
以下、本発明を、床面が畳である場合に適用した第一実施形態について図１から図４Ｂまでを参照しながら説明する。
【００２８】
図１は、本発明に係る支柱の斜視図、図２は、本発明の第一実施形態に係る支柱に用いられる部品の底面図であって、（ａ）はベース部材の底面図、（ｂ）は固定部材の底面図、図３は、本発明の第一実施形態に係る支柱において、畳への取り付け状態を示す説明図、図４Ａ及び図４Ｂは、本発明の第一実施形態に係る支柱の要部拡大斜視図である。
【００２９】
本発明に係る支柱１は、畳Ｆが敷設された室内において畳Ｆと天井Ｒとの間に突っ張った状態で設置固定される支柱１であって、ベース部材１０と、固定部材２０と、支柱本体４０と、天井当接部材５０と、を備えている（図１及び図４Ａ参照）。
【００３０】
支柱本体４０は、ベース部材１０上に立設されており、複数の手摺部４１（図１においては、３つの手摺部４１）が備えられている。また、支柱本体４０には、支柱本体４０を畳Ｆと天井Ｒとの間に突っ張った状態に伸縮させるための伸縮機構４２が備えられている。支柱本体４０の上端には、天井Ｒと当接する天井当接部材５０が配置されている。
【００３１】
ベース部材１０は、金属板の外表面をポリ塩化ビニルで被覆してなる略長方形状の平板である。なお、ベース部材１０の材質は、支柱本体４０を支持する強度を有していれば、これに限られるものではない。
【００３２】
ベース部材１０の上面には、支柱本体４０を嵌合させて支持する嵌合支持筒１１が備えられている。すなわち、ベース部材１０を貫通し、後述する第一滑り止め要素１３ａの中心に設けられるネジ穴１４によって、嵌合支持筒１１がベース部材１０と螺合接続されている（図４Ａ及び図４Ｂ参照）。嵌合支持筒１１にはその上下方向に複数箇所（図示例では２箇所）に亘ってネジ穴１２が設けられており、これらのネジ穴１２を介して支柱本体４０がネジ止めされる。
【００３３】
ベース部材１０の下面には、その長手方向に沿って均等に２つ配置された第一滑り止め要素１３ａと、下面の四隅に配置された第二滑り止め要素１３ｂと、からなる滑り止め部材１３が取り付けられている（図２（ａ）参照）。第二滑り止め要素１３ｂは、ベース部材１０の下面の四隅に配置されている。これら滑り止め部材１３は、後述する固定部材２０に対して摩擦力の大きい素材であることが好ましく、第一滑り止め要素１３ａはポリエチレンスポンジとし、第二滑り止め要素１３ｂはポリエチレンスポンジとアクリルスポンジとの二層構造とすることが好ましい。このように、第一滑り止め要素１３ａを一層とし、第二滑り止め要素１３ｂを二層としたのは、第一滑り止め要素１３ａは支柱本体４０の直下に位置し、設置時に支柱本体４０に加わる突っ張り力が直接及ぶため、一層で足り、当該突っ張り力が直接及ばないベース部材１０の角部は摩擦力をより得るために第二滑り止め要素１３ｂを二層とするのが好ましいからである。なお、滑り止め部材１３は、固定部材２０に対する十分な摩擦力が得られるのであれば、必ずしも第一滑り止め要素１３ａと第二滑り止め要素１３ｂの両方を必要とせず、それらのうちのいずれか一方だけでもよい。また、第一滑り止め要素１３ａを、アクリルスポンジとしてもよいし、ポリエチレンスポンジとアクリルスポンジとの二層構造としてもよい。また、第二滑り止め要素１３ｂが固定部材２０に対して十分な摩擦力を確保することができる場合は、第二滑り止め要素１３ｂをポリエチレンスポンジ又はアクリルスポンジのいずれか一方の一層構造としてもよい。
【００３４】
固定部材２０は、ベース部材１０と畳Ｆとの間に介在され、シート状又は板状のものである。本実施形態では、ベース部材１０の下面の大きさと略等しい大きさの透明のポリエチレンテレフタレートからなるシートである。なお、ポリエチレンテレフタレートは透明に限られず、ベース部材の色彩と同じ色彩のポリエチレンテレフタレートとしてもよい。固定部材２０をポリエチレンテレフタレートとすることによって、固定部材２０としての強度を確保することができ、また、前述した滑り止め部材１３の素材（ポリエチレンスポンジ及びアクリルスポンジ）と組み合わせると摩擦力が増大する効果を有する。さらに、固定部材２０には、後述する固定ピン３０が差し込まれる複数の孔２１と、固定部材２０と畳Ｆとの間で通気性を確保する通気スリット２２が備えられている。（図２（ｂ）参照）。これにより、畳Ｆと固定部材２０との間で通気性を良くすることができるため、畳Ｆに湿気が籠もることがなく、畳Ｆの劣化を防ぐことができる。なお、通気スリット２２の形状は、スリット形状に限られず、複数の孔としても構わない。
【００３５】
固定ピン３０は、固定部材２０を貫いて畳Ｆに刺し込まれ、固定部材２０を畳Ｆに固定するものである。この固定ピン３０としては、畳Ｆを貫通するほどの長さを有するものである必要はなく、支柱１の立設後に、支柱１に対する横荷重に耐え得る長さを有していればよい。
【００３６】
なお、固定ピン３０は、固定部材２０に着脱自在とされているため、固定ピン３０を省くだけで畳よりも硬質な床面にも設置することができるので、畳だけでなくあらゆる種類の床面に設置することができる。
【００３７】
[第一実施形態に係る支柱の立設方法の説明]
次に、本実施形態に係る支柱１の立設方法について図３を参照しながら説明する。
【００３８】
まず、畳Ｆ上において、支柱１の設置予定位置に固定部材２０を載置した後に、固定ピン３０が差し込まれる孔２１に固定ピン３０を差し込んで、固定部材２０と畳Ｆとを固定する。
【００３９】
固定部材２０を畳Ｆにピン固定した後に、ベース部材１０を固定部材２０上に載置する。固定部材２０と、ベース部材１０に取り付けられた滑り止め部材１３とは、互いの摩擦力が大きい素材であるため、ベース部材１０を確実に固定部材２０上に固定することができる。さらに、滑り止め部材１３（第一滑り止め要素１３ａ及び第二滑り止め要素１３ｂ）がベース部材１０の下面に均等に取り付けられているため、ベース部材１０が固定部材２０上から多少ズレるようなことがあっても、互いの摩擦力によって固定することができる（図４Ｂ参照）。
【００４０】
ベース部材１０を固定部材２０に載置した後は、嵌合支持筒１１に支柱本体４０を嵌合する一方、天井当接部材５０を天井Ｒに当接し、伸縮機構４２を用いて支柱１を畳Ｆと天井Ｒとの間で突っ張った状態とする。
【００４１】
[第一実施形態の効果]
以上、説明したとおり、本実施形態に係る支柱１は、支柱１を畳Ｆ上に設置するにあたり、固定部材２０を固定ピン３０により畳Ｆ上に固定しておいてから、この固定部材２０上にベース部材１０を載置するため、ベース部材１０の底面の滑り止め部材１３と固定部材２０との間の摩擦力によって支柱１が畳Ｆ上に固定されることになる。つまり、本実施形態の支柱１は、畳Ｆと天井Ｒに突っ張った状態で設置されることに加えて、固定部材２０との間の摩擦力によって固定されるため、従来よりも強固に支柱１を設置することができる。
【００４２】
また、固定部材２０上にベース部材１０を載置した後に、畳Ｆと天井Ｒとの間で突っ張らせるだけで設置できるため、支柱１の設置位置の微調整は、固定部材２０をそのままでベース部材１０だけを動かせば済むので簡単である。
【００４３】
さらに、固定部材２０は、ポリエチレンテレフタレートからなるため、固定部材２０としての強度を確保することができる。なお、透明なポリエチレンテレフタレートやベース部材の色彩と同じ色彩のポリエチレンテレフタレートを採用した場合は、支柱１の設置時に固定部材２０とベース部材１０との間の位置関係にズレが生じ、ベース部材１０の縁から固定部材２０の端縁がはみ出ても、そのはみ出し部分が目立たないため、固定部材２０によって畳Ｆの美観が損なわれる虞がなく、畳Ｆの美観を維持することができる。
【００４４】
ところで、従来から、床面が畳である場合に、畳上に固定される手摺として、特開２００１−３４９０３１号公報や、特開２００４−１９４１３号公報が開示されている。しかし、いずれも、その固定方法が非常に複雑であった。例えば、特開２００１−３４９０３１号公報においては、畳上に手摺を固定する固定具は、螺旋状のねじ込み部と、ねじ込み部を回転させる回転部とを備えるため、このような特殊固定具の製造は煩雑であり、特開２００４−１９４１３号公報においては、畳上面から下面までを貫通させる固定手段が取られており、畳上面から下面までを貫通させる作業は、非常に手間がかかるものであった。また、これらの公報に開示された発明は、畳と支柱が強固に設置されているため、畳上における支柱の設置位置の変更や、支柱の設置位置の調整ができない問題もあったが、上記の実施形態によれば、そのような問題を解決することができる。
【００４５】
[第二実施形態の構成の説明]
次に、本発明の第二実施形態に係る支柱１について、図５を参照しながら説明する。図５は、支柱の要部拡大斜視図である。
【００４６】
なお、本実施形態は、固定部材２０を用いずに、ベース部材１０が直接畳Ｆに設置固定されている点が第一実施形態と異なるものであるから、以下、その相違点についてのみ説明し、同一の構成要素については、同一符号を付してその説明を省略する。
【００４７】
本実施形態に係る支柱１は、床面に設置されるベース部材１０と、ベース部材１０上に立設された伸縮自在な支柱本体４０と、支柱本体４０の上端に設けられた天井当接部材５０と、を備え、床面が畳Ｆである室内において畳Ｆと天井Ｒとの間に突っ張った状態で設置固定される支柱１であって、ベース部材１０が、畳Ｆに刺し込まれる固定ピン３０により畳Ｆに固定されることを特徴とする（図５参照）。
【００４８】
本実施形態では、ベース部材１０には前述の滑り止め部材１３が備えられていないが、畳Ｆとの摩擦力を大きくするために滑り止め部材１３がベース部材１０に取り付けられていてもよい。
【００４９】
固定ピン３０は、ベース部材１０に着脱自在とされている。この着脱の一例としては、ベース部材１０の底面には、固定ピン３０を取り付ける取付溝（不図示）が備えられており、この取付溝に固定ピン３０を嵌合させるものが挙げられる。このように、固定ピン３０がベース部材１０に着脱自在とされていると、畳Ｆへの取り付けに限らず、固定ピン３０を省けば畳よりも硬質な床面にも設置することができる。
【００５０】
なお、本実施形態の変形例として、固定ピン３０を着脱自在とさせずに、ベース部材１０の底面に固着されていても構わない。
【００５１】
また、本実施形態の他の変形例として、固定ピン３０は、ベース部材１０の上面からベース部材１０を貫いて畳Ｆに刺し込まれていても構わない。この場合、固定ピン３０の上面を、例えば、ベース部材１０の素材と同じ素材の化粧キャップでカバーすることによって固定ピン３０を隠すことができ、美観を良くすることができる。
【００５２】
[第二実施形態に係る支柱の立設方法の説明]
次に、本実施形態に係る支柱１の立設方法について説明する。
【００５３】
まず、畳Ｆ上において、支柱１の設置予定位置にベース部材１０を載置し、ベース部材１０に備えられた固定ピン３０を差し込んでベース部材１０と畳Ｆとを固定する。
【００５４】
ベース部材１０を畳Ｆに固定した後は、嵌合支持筒１１に支柱本体４０を嵌合する一方、天井当接部材５０を天井Ｒに当接し、伸縮機構４２を用いて支柱１を畳Ｆと天井Ｒとの間で突っ張った状態とする。
【００５５】
[第二実施形態の効果]
以上、説明したとおり、本実施形態に係る支柱１においても、畳Ｆと天井Ｒとの間で突っ張った状態で設置固定されるとともに、固定ピン３０によって畳Ｆに固定されるため、畳Ｆに対する十分な固定強度を得ることができ、支柱１に対して大きな横荷重がかかっても、ベース部材１０が畳Ｆ上をズレ動くのを防止することができる。また、固定ピン３０は畳Ｆに容易に抜き差しすることができるため、畳Ｆ上で支柱１の設置位置を容易に変更することができる。
【００５６】
[第三実施形態の構成の説明]
次に、本発明の第三実施形態に係る支柱１について、図６を参照しながら説明する。図６は、支柱の要部拡大斜視図である。
【００５７】
本実施形態は、Ｐタイル、クッションフロアといった畳よりも硬質な床面Ｇに支柱１を取り付ける形態であり、固定部材２０を用いずに、ベース部材１０が直接に床面Ｇに設置固定されている点が第一実施形態及び第二実施形態と異なるものであるから、以下、その相違点についてのみ説明し、同一の構成要素については、同一符号を付してその説明を省略する。
【００５８】
本実施形態の支柱１は、床面に設置されるベース部材１０と、ベース部材１０上に立設された伸縮自在な支柱本体４０と、支柱本体４０の上端に設けられた天井当接部材５０と、を備え、床面ＧがＰタイル又はクッションフロアである室内において床面Ｇと天井Ｒとの間に突っ張った状態で設置固定される支柱１であって、ベース部材１０の裏面に設けられた、床面Ｇに対する摩擦力の大きい素材からなる滑り止め部材１３が備えられたことを特徴とする。
【００５９】
滑り止め部材１３は、前述した通り、第一滑り止め要素１３ａ及び第二滑り止め要素１３ｂから構成されており、Ｐタイル及びクッションフロアに対して摩擦力の大きい素材であることが好ましい。すなわち、第一滑り止め要素１３ａはポリエチレンスポンジとし、第二滑り止め要素１３ｂはポリエチレンスポンジとアクリルスポンジとの二層構造とすることが好ましい。このように、第一滑り止め要素１３ａを一層とし、第二滑り止め要素１３ｂを二層としたのは、第一滑り止め要素１３ａは支柱本体４０の直下に位置し、設置時に支柱本体４０に加わる突っ張り力が直接及ぶため、一層で足り、当該突っ張り力が直接及ばないベース部材１０の角部は摩擦力をより得るために第二滑り止め要素１３ｂを二層とするのが好ましいからである。
【００６０】
なお、滑り止め部材１３は、床面Ｇに対する十分な摩擦力が得られるのであれば、必ずしも第一滑り止め要素１３ａと第二滑り止め要素１３ｂの両方を必要とせず、それらのうちのいずれか一方だけでもよい。また、第一滑り止め要素１３ａを、アクリルスポンジとしてもよいし、ポリエチレンスポンジとアクリルスポンジとの二層構造としてもよい。また、第二滑り止め要素１３ｂが床面Ｇに対して十分な摩擦力を確保することができる場合は、第二滑り止め要素１３ｂをポリエチレンスポンジ又はアクリルスポンジのいずれか一方の一層構造としてもよい。
【００６１】
[第三実施形態に係る支柱の立設方法の説明]
次に、本実施形態に係る支柱１の立設方法について説明する。
【００６２】
まず、床面Ｇ上において、支柱１の設置予定位置にベース部材１０を載置する。ベース部材１０の底面に備えられた滑り止め部材１３は、床面Ｇに対する摩擦力の大きい素材からなるため、ベース部材１０を確実に床面Ｇ上に固定することができる。
【００６３】
ベース部材１０を床面Ｇに固定した後は、嵌合支持筒１１に支柱本体４０を嵌合する一方、天井当接部材５０を天井Ｒに当接し、伸縮機構４２を用いて支柱１を床面Ｇと天井Ｒとの間で突っ張った状態とする。
【００６４】
[第三実施形態の効果]
以上、説明したとおり、本実施形態に係る支柱１は、Ｐタイル、クッションフロアといった畳よりも硬質な床面Ｇと天井Ｒとの間で突っ張った状態で設置されることに加えて、床面Ｇに対して摩擦力の大きい素材からなる滑り止め部材１３がベース部材１０に設けられているため、ベース部材１０と床面Ｇとの摩擦力を高めることができ、ベース部材１０と床面Ｇとの間で滑りにくくすることができる。よって、支柱１を床面Ｇと天井Ｒとの間で従来技術よりも強固に設置することができる。
【００６５】
なお、上記に示した本発明の実施形態はいずれも本発明を具体化した例であって、本発明の技術的範囲を限定する性格のものではない。
【符号の説明】
【００６６】
１      支柱
１０    ベース部材
１３    滑り止め部材
１３ａ  第一滑り止め要素
１３ｂ  第二滑り止め要素
２０    固定部材
３０    固定ピン
４０    支柱本体
５０    天井当接部材
Ｆ      畳
Ｒ      天井
【図１】
2014214473.tif 000003
【図２】
2014214473.tif 000004
【図３】
2014214473.tif 000005
【図４Ａ】
2014214473.tif 000006
【図４Ｂ】
2014214473.tif 000007
【図５】
2014214473.tif 000008
【図６】
2014214473.tif 000009
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
床面に設置されるベース部材と、
前記ベース部材上に立設された伸縮自在な支柱本体と、
前記支柱本体の上端に設けられた天井当接部材と、を備え、
床面と天井との間に突っ張った状態で設置固定される支柱であって、
前記ベース部材に前記床面に対する摩擦力の大きい素材からなる滑り止め手段が設けられており、
前記床面は畳であり、
前記滑り止め手段は、
前記畳に差し込まれる固定ピンと、
前記固定ピンにより前記畳に固定されるシート状又は板状の固定部材と、
前記ベース部材の裏面に設けられた、前記固定部材に対する摩擦力の大きい素材からなる滑り止め部材と、
から構成されたことを特徴とする支柱。
【請求項２】
請求項１に記載の支柱において、
前記固定部材は、ポリエチレンテレフタレートからなることを特徴とする支柱。
【請求項３】
請求項１又は２に記載の支柱において、
前記固定部材には、該固定部材を貫通する通気孔が設けられたことを特徴とする支柱。
【請求項４】
請求項１から３のいずれか１項に記載の支柱において、
前記滑り止め部材は、少なくとも前記ベース部材の角部に配置され、ポリエチレンスポンジ及びアクリルスポンジを含む多層構造であることを特徴とする支柱。
【請求項５】
請求項１から３のいずれか１項に記載の支柱において、
前記滑り止め部材は、ポリエチレンスポンジ及びアクリルスポンジの両方、又は、これらのいずれか一方からなることを特徴とする支柱。
【請求項６】
床面に設置されるベース部材と、
前記ベース部材上に立設された伸縮自在な支柱本体と、
前記支柱本体の上端に設けられた天井当接部材と、を備え、
床面と天井との間に突っ張った状態で設置固定される支柱であって、
前記ベース部材に前記床面に対する摩擦力の大きい素材からなる滑り止め手段が設けられており、
前記床面は、Ｐタイル又はクッションフロアであり、
前記滑り止め手段は、前記ベース部材の裏面に設けられた、前記床面に対する摩擦力の大きい素材からなる滑り止め部材であり、
前記滑り止め部材は、少なくとも前記ベース部材の角部に配置され、ポリエチレンスポンジ及びアクリルスポンジを含む多層構造であることを特徴とする支柱。
【手続補正２】
【補正対象書類名】明細書
【補正対象項目名】０００７
【補正方法】変更
【補正の内容】
【０００７】
本発明に係る支柱は、床面に設置されるベース部材と、前記ベース部材上に立設された伸縮自在な支柱本体と、前記支柱本体の上端に設けられた天井当接部材と、を備え、床面と天井との間に突っ張った状態で設置固定される支柱であって、前記ベース部材に前記床面に対する摩擦力の大きい素材からなる滑り止め手段が設けられており、前記床面は畳であり、前記滑り止め手段は、前記畳に差し込まれる固定ピンと、前記固定ピンにより前記畳に固定されるシート状又は板状の固定部材と、前記ベース部材の裏面に設けられた、前記固定部材に対する摩擦力の大きい素材からなる滑り止め部材と、から構成されたことを特徴とする。
【手続補正３】
【補正対象書類名】明細書
【補正対象項目名】０００８
【補正方法】変更
【補正の内容】
【０００８】
このような構成により、本発明に係る支柱は、床面に対して摩擦力の大きい素材からなる滑り止め手段がベース部材に設けられているため、ベース部材と床面との摩擦力を高めることができ、ベース部材と床面との間で滑りにくくすることができる。よって、支柱を床面と天井との間で従来技術よりも強固に設置することができる。また、このような構成により、支柱を畳上に設置するにあたり、固定部材を固定ピンにより畳上に固定しておいてから、この固定部材上にベース部材を載置するだけで、ベース部材の底面の滑り止め部材と固定部材との間の摩擦力によって支柱が畳上に固定されることになる。よって、支柱は、天井と畳との間で突っ張って設置されることに加えて、固定部材との間の摩擦力によって固定されるため、従来よりも強固に支柱を設置することができる。また、支柱の設置位置の調整をする際は、固定部材をそのままでベース部材だけを動かせば済むので簡単である。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１５
【補正方法】変更
【補正の内容】
【００１５】
本発明に係る支柱は、床面に設置されるベース部材と、前記ベース部材上に立設された伸縮自在な支柱本体と、前記支柱本体の上端に設けられた天井当接部材と、を備え、床面と天井との間に突っ張った状態で設置固定される支柱であって、前記ベース部材に前記床面に対する摩擦力の大きい素材からなる滑り止め手段が設けられており、前記床面は、Ｐタイル又はクッションフロアであり、前記滑り止め手段は、前記ベース部材の裏面に設けられた、前記床面に対する摩擦力の大きい素材からなる滑り止め部材であり、前記滑り止め部材は、少なくとも前記ベース部材の角部に配置され、ポリエチレンスポンジ及びアクリルスポンジを含む多層構造であることを特徴とする。
【手続補正７】
【補正対象書類名】明細書
【補正対象項目名】００１６
【補正方法】変更
【補正の内容】
【００１６】
このような構成により、ベース部材の裏面には、Ｐタイル又はクッションフロアに対する摩擦力の大きい素材からなる滑り止め部材が設けられているので、ベース部材をＰタイル又はクッションフロアに載置し、Ｐタイル又はクッションフロアと天井との間で突っ張らせるだけで、支柱を強固に設置することができる。また、このような構成により、支柱の重量による押圧力がかかりにくいベース部材の角部であっても、滑り止め効果を高めることができる。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２６
【補正方法】変更
【補正の内容】
【００２６】
【図１】本発明に係る支柱の斜視図である。
【図２】本発明の第一実施形態に係る支柱に用いられる部品の底面図であって、（ａ）はベース部材の底面図、（ｂ）は固定部材の底面図である。
【図３】本発明の第一実施形態に係る支柱において、畳への取り付け状態を示す説明図である。
【図４Ａ】本発明の第一実施形態に係る支柱の要部拡大斜視図である。
【図４Ｂ】本発明の第一実施形態に係る支柱の要部拡大斜視図である。
【図５】本発明の参考例に係る支柱の要部拡大斜視図である。
【図６】本発明の第二実施形態に係る支柱の要部拡大斜視図である。
【手続補正１１】
【補正対象書類名】明細書
【補正対象項目名】００４５
【補正方法】変更
【補正の内容】
【００４５】
[参考例の構成の説明]
次に、本発明の参考例に係る支柱１について、図５を参照しながら説明する。図５は、支柱の要部拡大斜視図である。
【手続補正１２】
【補正対象書類名】明細書
【補正対象項目名】００４６
【補正方法】変更
【補正の内容】
【００４６】
なお、参考例は、固定部材２０を用いずに、ベース部材１０が直接畳Ｆに設置固定されている点が第一実施形態と異なるものであるから、以下、その相違点についてのみ説明し、同一の構成要素については、同一符号を付してその説明を省略する。
【手続補正１３】
【補正対象書類名】明細書
【補正対象項目名】００４７
【補正方法】変更
【補正の内容】
【００４７】
参考例に係る支柱１は、床面に設置されるベース部材１０と、ベース部材１０上に立設された伸縮自在な支柱本体４０と、支柱本体４０の上端に設けられた天井当接部材５０と、を備え、床面が畳Ｆである室内において畳Ｆと天井Ｒとの間に突っ張った状態で設置固定される支柱１であって、ベース部材１０が、畳Ｆに刺し込まれる固定ピン３０により畳Ｆに固定されることを特徴とする（図５参照）。
【手続補正１４】
【補正対象書類名】明細書
【補正対象項目名】００４８
【補正方法】変更
【補正の内容】
【００４８】
参考例では、ベース部材１０には前述の滑り止め部材１３が備えられていないが、畳Ｆとの摩擦力を大きくするために滑り止め部材１３がベース部材１０に取り付けられていてもよい。
【手続補正１５】
【補正対象書類名】明細書
【補正対象項目名】００５０
【補正方法】変更
【補正の内容】
【００５０】
なお、参考例の変形例として、固定ピン３０を着脱自在とさせずに、ベース部材１０の底面に固着されていても構わない。
【手続補正１６】
【補正対象書類名】明細書
【補正対象項目名】００５１
【補正方法】変更
【補正の内容】
【００５１】
また、参考例の他の変形例として、固定ピン３０は、ベース部材１０の上面からベース部材１０を貫いて畳Ｆに刺し込まれていても構わない。この場合、固定ピン３０の上面を、例えば、ベース部材１０の素材と同じ素材の化粧キャップでカバーすることによって固定ピン３０を隠すことができ、美観を良くすることができる。
【手続補正１７】
【補正対象書類名】明細書
【補正対象項目名】００５２
【補正方法】変更
【補正の内容】
【００５２】
[参考例に係る支柱の立設方法の説明]
次に、参考例に係る支柱１の立設方法について説明する。
【手続補正１８】
【補正対象書類名】明細書
【補正対象項目名】００５５
【補正方法】変更
【補正の内容】
【００５５】
[参考例の効果]
以上、説明したとおり、参考例に係る支柱１においても、畳Ｆと天井Ｒとの間で突っ張った状態で設置固定されるとともに、固定ピン３０によって畳Ｆに固定されるため、畳Ｆに対する十分な固定強度を得ることができ、支柱１に対して大きな横荷重がかかっても、ベース部材１０が畳Ｆ上をズレ動くのを防止することができる。また、固定ピン３０は畳Ｆに容易に抜き差しすることができるため、畳Ｆ上で支柱１の設置位置を容易に変更することができる。
【手続補正１９】
【補正対象書類名】明細書
【補正対象項目名】００５６
【補正方法】変更
【補正の内容】
【００５６】
[第二実施形態の構成の説明]
次に、本発明の第二実施形態に係る支柱１について、図６を参照しながら説明する。図６は、支柱の要部拡大斜視図である。
【手続補正２０】
【補正対象書類名】明細書
【補正対象項目名】００５７
【補正方法】変更
【補正の内容】
【００５７】
本実施形態は、Ｐタイル、クッションフロアといった畳よりも硬質な床面Ｇに支柱１を取り付ける形態であり、固定部材２０を用いずに、ベース部材１０が直接に床面Ｇに設置固定されている点が第一実施形態及び参考例と異なるものであるから、以下、その相違点についてのみ説明し、同一の構成要素については、同一符号を付してその説明を省略する。
【手続補正２１】
【補正対象書類名】明細書
【補正対象項目名】００６１
【補正方法】変更
【補正の内容】
【００６１】
[第二実施形態に係る支柱の立設方法の説明]
次に、本実施形態に係る支柱１の立設方法について説明する。
【手続補正２２】
【補正対象書類名】明細書
【補正対象項目名】００６４
【補正方法】変更
【補正の内容】
【００６４】
[第二実施形態の効果]
以上、説明したとおり、本実施形態に係る支柱１は、Ｐタイル、クッションフロアといった畳よりも硬質な床面Ｇと天井Ｒとの間で突っ張った状態で設置されることに加えて、床面Ｇに対して摩擦力の大きい素材からなる滑り止め部材１３がベース部材１０に設けられているため、ベース部材１０と床面Ｇとの摩擦力を高めることができ、ベース部材１０と床面Ｇとの間で滑りにくくすることができる。よって、支柱１を床面Ｇと天井Ｒとの間で従来技術よりも強固に設置することができる。